(57)【要約】【課題】磁気カードに異常情報を確実に書き込んで、不正に入手されたカードであるか否かの判断を可能にする磁気カード処理装置を提供する。【解決手段】モータを駆動することによって搬送される磁気カード２から情報を読み取る本体内部１ａの第１磁気ヘッド７とは別に、磁気カード２に情報を書き込む第２磁気ヘッド８を挿入口３に設ける。磁気カード２が挿入口３から挿入された後に、磁気カード処理装置１０で、モータ駆動時の磁気カード２の搬送異常や、シャッタ４の開閉動作異常や、モータ停止時の磁気カード２の移動検知のような異常が発生した場合に、それらの異常を検出し、磁気カード２が挿入口３から排出されるときに、第２磁気ヘッド８によって異常情報を磁気カード２に書き込む。【選択図】    図１
2005044107.tif 000002
【特許請求の範囲】
【請求項１】
挿入口から挿入された磁気カードを搬送手段によって搬送しながら、本体内部に設けた第１の磁気ヘッドによって磁気カードから磁気情報を読み取る磁気カード処理装置において、
前記挿入口に設けられ、磁気カードに磁気情報を書き込む第２の磁気ヘッドと、
磁気カードが前記挿入口から挿入された後に、装置で発生する異常を検出する異常検出手段と、
前記異常検出手段によって異常が検出されたことに基づいて、磁気カードが前記挿入口から排出されるときに、前記第２の磁気ヘッドによって磁気カードに異常情報を書き込む異常書込制御手段と、を備えたことを特徴とする磁気カード処理装置。
【請求項２】
請求項１に記載の磁気カード処理装置において、
磁気カードを本体内部の所定の位置に搬送するために前記搬送手段の駆動を制御する搬送制御手段と、
磁気カードが所定の位置に搬送されたことを検知する搬送検知手段と、を備え、
前記異常検出手段は、前記搬送制御手段が磁気カードを所定の位置に搬送するように前記搬送手段の駆動を制御しているにもかかわらず、前記搬送検知手段が所定の位置に磁気カードが搬送されたことを検知しない場合に、異常を検出することを特徴とする磁気カード処理装置。
【請求項３】
請求項１または請求項２に記載の磁気カード処理装置において、
磁気カードが本体内部で移動したことを検知する移動検知手段を備え、
前記異常検出手段は、前記搬送手段が磁気カードを搬送していないにもかかわらず、前記移動検知手段が磁気カードの移動を検知した場合に、異常を検出することを特徴とする磁気カード処理装置。
【請求項４】
請求項１ないし請求項３のいずれかに記載の磁気カード処理装置において、
磁気カードの前記挿入口から本体内部への挿入または本体内部から前記挿入口への排出を規制するために開閉するシャッタと、
前記シャッタの開閉を制御する開閉制御手段と、
前記シャッタの開閉を検知する開閉検知手段と、を備え、
前記異常検出手段は、前記開閉制御手段が前記シャッタを開くように制御しているにもかかわらず、前記開閉検知手段が前記シャッタの閉まりを検知した場合、または前記開閉制御手段が前記シャッタを閉じるように制御しているにもかかわらず、前記開閉検知手段が前記シャッタの開きを検知した場合に、異常を検出することを特徴とする磁気カード処理装置。
【請求項５】
請求項１ないし請求項４のいずれかに記載の磁気カード処理装置において、
磁気カードの移動速度を検出する速度検出手段を備え、
前記異常書込制御手段は、前記速度検出手段によって検出される磁気カードの移動速度に応じた周期で、前記第２の磁気ヘッドによって磁気カードに異常情報を書き込むことを特徴とする磁気カード処理装置。
【請求項６】
請求項１ないし請求項５のいずれかに記載の磁気カード処理装置において、
前記異常書込制御手段は、前記第２の磁気ヘッドによって磁気カードに異常情報を繰り返し書き込むことを特徴とする磁気カード処理装置。
【請求項７】
請求項１ないし請求項６のいずれかに記載の磁気カード処理装置において、
前記異常検出手段は、異常を検出した後にさらに装置で発生する異常を検出し、
前記異常情報には、前記異常検出手段が検出した全ての異常の内容が含まれることを特徴とする磁気カード処理装置。
【発明の詳細な説明】
【０００１】
【発明の属する技術分野】
本発明は、磁気カード処理装置に関し、特に、磁気カードの挿入後に異常が発生した場合に、磁気カードに異常情報を書き込むものに関する。
【０００２】
【従来の技術】
情報を磁気記録した磁気カードを処理する磁気カード処理装置には、磁気カードから磁気情報を読み取るものがある。その磁気カード処理装置は、利用者によって磁気カードが挿入口から挿入されると、磁気カードを本体内部に取り込んで当該カードから磁気情報を読み取る。そして、磁気カード処理装置は、読み取った磁気情報を上位装置に送信し、上位装置との通信が完了すると、本体内部にある磁気カードを挿入口から排出して利用者に返却し、磁気カードに対する処理を終了する。
【０００３】
上記のような処理中に磁気カード処理装置では、各部の故障や悪意を持った第三者の細工等により異常が発生して、磁気カードが装置の本体内部に取り込まれたままになることがある。このようになった場合、例えば、異常の発生を上位装置の管理者に知らせるために利用者がその場から離れたすきに、第三者によって磁気カードが本体内部から取り出されて盗まれてしまい、悪用されるおそれがある。そのため、上記のように不正に入手された磁気カードの悪用を防止する対策が従来から行われている。
【０００４】
例えば、下記の特許文献１には、磁気カード処理装置で異常が検出されると、磁気カードが抜き取られるときに、挿入口の近傍に設けた消去ヘッドを作動させて、磁気カードに記録されている情報を消去することが記載されている。このように磁気カードの情報を消去すると、不正に入手された磁気カードが使用されても、それを悪用できなくなる。なお、下記の特許文献２には、磁気カードまたはＩＣカードを挿入した後のカードの差し替えによる不正を防止するために、搬送手段がカードの搬送を行っていないにもかかわらずカードの位置がずれたときに、カードに異常状態となったことを印す情報を書き込むことが記載されている。
【０００５】
【特許文献１】
特開平９−３２６０１７号公報
【特許文献２】
特公平７−９８３０号公報
【０００６】
【発明が解決しようとする課題】
ところが、特許文献１のように磁気カードの情報を消去すると、不正に入手された磁気カードがその後磁気カード処理装置に挿入された場合に、磁気カード処理装置はその磁気カードを情報未記録のカードとして返却するだけで、それが不正に入手されたカードであるか否かを判断することはできない。このため、不正に入手された後使用された磁気カードに対して、例えば強制的に使用を禁止したり、使用履歴を残して所定の部署に通報するというような適切な対処が行えない。
【０００７】
上記に対して、特許文献２では、カードに異常情報を正しく書き込むことができれば、不正に入手されたカードがその後カード処理装置に挿入された場合に、異常情報を読み取ることでそれが不正に入手されたカードであるか否かを判断することができると推定されるが、特許文献２には、異常情報の書き込みを行うための具体的な構成が記載されていない。このため、カードの位置がずれたときにカードに異常情報を書き込もうとしても、カードがカード処理装置内から素早く抜き取られてしまえば、実際にはカードに異常情報を正しく書き込むことができない。例えば、カードがＩＣカードである場合には、ＩＣカードが抜き取られるときにカードのＩＣ接点とカード処理装置のＩＣ接触子とがずれて接触しなくなり、またカードが磁気カードである場合には、磁気カードが抜き取られるときにカードの磁気記録部とカード処理装置の磁気ヘッドとがずれて接触しなくなるので、カードに異常情報を正しく書き込むことができない。さらに上記に加え、特許文献２では、カード挿入後のカードの位置ずれ以外の異常（例えば、カードを取り込んだり返却したりする際の搬送手段によるカード搬送時の異常等）が発生して、カードが装置内に取り込まれたままになった場合の対策については、何ら記載されていない。
【０００８】
本発明は、上記問題点を解決するものであって、その課題とするところは、磁気カードに異常情報を確実に書き込んで、不正に入手されたカードであるか否かの判断を可能にする磁気カード処理装置を提供することにある。
【０００９】
【課題を解決するための手段】
本発明は、挿入口から挿入された磁気カードを搬送手段によって搬送しながら、本体内部に設けた第１の磁気ヘッドによって磁気カードから磁気情報を読み取る磁気カード処理装置において、磁気カードに磁気情報を書き込む第２の磁気ヘッドを挿入口に設けるとともに、磁気カードが挿入口から挿入された後に装置で発生する異常を検出する異常検出手段と、異常検出手段によって異常が検出されたことに基づいて磁気カードが挿入口から排出されるときに第２の磁気ヘッドによって磁気カードに異常情報を書き込む異常書込制御手段とを設ける。なお、「磁気カードが挿入口から排出されるとき」とは、磁気カードが搬送手段によって搬送されて挿入口から排出されるときと、磁気カードが人手によって引っ張られて挿入口から排出されるときの両方を含む。また、「異常情報」とは、例えば、異常を検出した日時、場所、異常の内容、および異常検出時の磁気カードに対する処理等に関する情報のことである。
【００１０】
上記のように、挿入口に第２の磁気ヘッドを設け、磁気カードが挿入口から排出されるときに第２の磁気ヘッドによって磁気カードに異常情報を書き込むと、磁気カードが挿入口から完全に排出されるまで、つまり磁気カードが磁気カード処理装置から抜き取られるまで磁気カードと第２の磁気ヘッドとの接触状態が確保されるので、装置で異常が発生した場合にその異常情報を磁気カードに確実に書き込むことができる。この結果、後にその磁気カードが使用されても、当該カードの異常情報を読み取ることによって、それが不正に入手されたカードであるか否かの判断を行うことが可能になる。
【００１１】
また、本発明においては、磁気カードを本体内部の所定の位置に搬送するために搬送手段の駆動を制御する搬送制御手段と、磁気カードが所定の位置に搬送されたことを検知する搬送検知手段とを設け、異常検出手段は、搬送制御手段が磁気カードを所定の位置に搬送するように搬送手段の駆動を制御しているにもかかわらず、搬送検知手段が所定の位置に磁気カードが搬送されたことを検知しない場合に、異常を検出する。このようにすると、例えば搬送手段が壊されたり、磁気カードの搬送を妨害するような細工が施されたりすることにより、磁気カードの搬送時に磁気カードが所定の位置に搬送されないという異常が発生しても、この異常を検出して、磁気カードが挿入口から排出されるときに第２の磁気ヘッドによって異常情報を磁気カードに確実に書き込むことができる。
【００１２】
また、本発明においては、磁気カードが本体内部で移動したことを検知する移動検知手段を設け、異常検出手段は、搬送手段が磁気カードを搬送していないにもかかわらず、移動検知手段が磁気カードの移動を検知した場合に、異常を検出する。このようにすると、例えば特殊な治具によって磁気カードが引っ張られたり本体内部から引き抜かれたりすることにより、磁気カードの搬送停止時に磁気カードが移動するという異常が発生しても、この異常を検出して、磁気カードが挿入口から排出されるときに第２の磁気ヘッドによって異常情報を磁気カードに確実に書き込むことができる。
【００１３】
また、本発明においては、磁気カードの挿入口から本体内部への挿入または本体内部から挿入口への排出を規制するために開閉するシャッタと、シャッタの開閉を制御する開閉制御手段と、シャッタの開閉を検知する開閉検知手段とを設け、異常検出手段は、開閉制御手段がシャッタを開くように制御しているにもかかわらず、開閉検知手段がシャッタの閉まりを検知した場合、または開閉制御手段がシャッタを閉じるように制御しているにもかかわらず、開閉検知手段がシャッタの開きを検知した場合に、異常を検出する。このようにすると、例えばシャッタの開閉を妨害するような細工が施されることにより、開状態のシャッタを閉じる時にシャッタが閉じないという異常が発生したり、閉状態のシャッタを開く時にシャッタが開かないという異常が発生したり、閉状態を維持している時にシャッタが無理やり開けられるという異常が発生したりしても、これらの異常を検出して、磁気カードが挿入口から排出されるときに第２の磁気ヘッドによって異常情報を磁気カードに確実に書き込むことができる。
【００１４】
また、本発明においては、磁気カードの移動速度を検出する速度検出手段を設け、異常書込制御手段は、速度検出手段によって検出される磁気カードの移動速度に応じた周期で、第２の磁気ヘッドによって磁気カードに異常情報を書き込む。磁気カードが搬送手段によって搬送されて挿入口から排出される場合は、磁気カードの移動速度が所定速度になり、第２の磁気ヘッドによって安定して磁気カードに異常情報を書き込めるが、磁気カードが人手によって引っ張られて挿入口から排出される場合は、磁気カードの移動速度が所定速度にならず、第２の磁気ヘッドによって安定して磁気カードに異常情報を書き込めないおそれがある。然るに、本発明のようにすると、磁気カードが人手によって速く引っ張られたときは、磁気カードの移動速度に応じた速い周期で、また磁気カードが人手によって遅く（ゆっくりと）引っ張られたときは、磁気カードの移動速度に応じた遅い周期で第２の磁気ヘッドによって安定して磁気カードに異常情報を確実に書き込むことができる。
【００１５】
また、本発明においては、異常書込制御手段は、第２の磁気ヘッドによって磁気カードに異常情報を繰り返し書き込む。このようにすると、磁気カードに異常情報を一層確実に書き込むことができる。
【００１６】
さらに、本発明においては、異常検出手段は、異常を検出した後にさらに装置で発生する異常を検出し、異常情報には、異常検出手段が検出した全ての異常の内容が含まれる。このようにすると、異常情報が書き込まれた磁気カードが後に使用されたときに、当該カードの異常情報を読み取ることによって、それがどのようにして不正に入手されたかということを詳細に判断することが可能になる。
【００１７】
【発明の実施の形態】
図１は、本発明の実施形態に係る磁気カード処理装置の概略構造を示す図である。図１において、１０は磁気カード処理装置であって、例えば自動現金取引処理装置のような上位装置３０（図３に図示）に搭載されて接続されている。１は磁気カード処理装置１０の本体、１ａは本体１の内部空間（以下、本体内部と記す）である。２は磁気カードであって、磁気記録部としての磁気ストライプ（図示省略）に所定の情報が磁気記録されている。２ａは磁気カード２の先端部、２ｂは後端部である。３は磁気カード２が挿入される挿入口である。この挿入口３は、正面から見ると、図２に示すように上位装置３０の前面フレーム３１に設けられた開口部３１ａと連通している。ＳＷは挿入口３に配置されたマイクロスイッチであって、挿入口３で磁気カード２を検知する。このスイッチＳＷは、磁気カード２を検知していないときはＯＦＦ状態であるが、磁気カード２を検知するとＯＮ状態になる。
【００１８】
図１の４はソレノイド１７（図３に図示）によって上下方向Ｕ、Ｄに開閉するシャッタであって、磁気カード２の挿入口３から本体内部１ａへの挿入または本体内部１ａから挿入口３への排出を規制する。図１では、シャッタ４が開いた状態を実線で示し、シャッタ４が閉じた状態を破線で示している。５はシャッタ４の開閉を検知するシャッタセンサであって、シャッタ４の下端部に設けられた磁石５ａと、この磁石５ａと対向するように挿入口３に設けられたホール素子５ｂとから構成される。シャッタ４が破線で示すように閉じると、シャッタ４の下端部の磁石５ａが所定間隔でホール素子５ｂに近づくので、ホール素子５ｂがこれを検知して所定値の電圧を制御部９（図３に図示）へ出力する。また、シャッタ４が実線で示すように開くと、磁石５ａが所定間隔でホール素子５ｂから離れるので、ホール素子５ｂがこれを検知して上記の磁石５ａの接近時とは異なる所定値の電圧を制御部９に出力する。
【００１９】
６はモータ１５（図３に図示）によって回転する上下１対のローラであって、モータ１５が正転駆動すると磁気カード２を往路方向Ｆへ搬送し、モータ１５が逆転駆動すると磁気カード２を復路方向Ｂへ搬送する。７は磁気カード２と接するように本体内部１ａに配置された第１磁気ヘッドである。この第１磁気ヘッド７は、磁気カード２がＦ方向に搬送されるときに、磁気カード２から磁気情報を読み取る。詳しくは、第１磁気ヘッド７は、内蔵するコアとコイルによって磁気カード２の磁気ストライプの磁力の変化を検出してそれを電圧の変化に変え、その電圧の変化を内蔵するアンプによって増幅して制御部９へ出力する。８は磁気カード２と接するように挿入口３に配置された第２磁気ヘッドである。第２磁気ヘッド８は、磁気カード２が挿入口３から挿入されるときに、磁気カード２の磁力の変化を検出して制御部９に出力する。また、第２磁気ヘッド８は、磁気カード２が挿入口３からＢ方向に排出されるときに、制御部９に制御されて磁気カード２に情報の書き込みを行う。詳しくは、第２磁気ヘッド８は、内蔵するコアとコイルによって磁気カード２の磁気ストライプを所定の間隔で磁化反転させて、情報を磁気記録する。
【００２０】
１１〜１３は磁気カード２が本体内部１ａの所定の位置に搬送されたことを検知するセンサであって、フォトマイクロセンサから構成される。これらのセンサ１１〜１３は磁気カード２を検知していないときはＯＦＦ状態であるが、磁気カード２を検知するとＯＮ状態になる。第１センサ１１は、挿入口３から挿入された磁気カード２がＦ方向に搬送されて取り込まれて行くときに、磁気カード２を検知してＯＮ状態になり、この後磁気カード２の後端部２ｂが取込完了位置Ｐ１を通り過ぎると、磁気カード２を検知しなくなってＯＦＦ状態となる。また、第１センサ１１は、本体内部１ａに取り込まれた磁気カード２がＢ方向に搬送されて挿入口３から返却されて行くときに、磁気カード２を検知してＯＮ状態になり、この後磁気カード２の先端部２ａが返却完了位置（取込完了位置と同位置）Ｐ１を通り過ぎると、磁気カード２を検知しなくなってＯＦＦ状態となる。第２センサ１２は、磁気カード２がＦ方向に搬送されて行くときに、磁気カード２の先端部２ａが読取開始位置Ｐ２に到達すると、これを検知してＯＮ状態となる。第３センサ１３は、磁気カード２がＦ方向に搬送されて行くときに、磁気カード２の先端部２ａが読取完了位置Ｐ３に到達すると、これを検知してＯＮ状態となる。
【００２１】
以上において、挿入口３は、本発明における挿入口の一実施形態を構成する。シャッタ４は、本発明におけるシャッタの一実施形態を構成し、シャッタセンサ５は、本発明における開閉検知手段の一実施形態を構成する。第１磁気ヘッド７は、本発明における第１の磁気ヘッドの一実施形態を構成し、第２磁気ヘッド８は、本発明における第２の磁気ヘッドの一実施形態を構成する。第１〜第３センサ１１〜１３は、本発明における搬送検知手段の一実施形態を構成する。
【００２２】
図３は、磁気カード処理装置１０の電気的構成を示すブロック図である。図３において、９は磁気カード処理装置１０の各部を制御する制御部であって、ＣＰＵ、ＲＯＭ、ＲＡＭ、および後記の制御回路等からなる。なお、ＲＯＭにはＣＰＵの動作プログラム等が記憶されていて、ＲＡＭにはＣＰＵが各部を制御する制御データが読み書き可能に記憶される。制御部９は、磁気カード２が挿入口３（図１）から挿入された後に、後述するように磁気カード処理装置１０で発生する異常を検出する。そして、制御部９は、異常を検出したことにより、磁気カード２が挿入口３から排出されるときに、前述の第２磁気ヘッド８を制御して磁気カード２に異常情報を書き込む。なお、磁気カード２が挿入口３から排出されるときとは、磁気カード２がモータ１５によって搬送されて挿入口３から排出されるときと、磁気カード２が人手によって引っ張られて挿入口３から排出されるときの両方を含む。また、異常情報とは、例えば、磁気カード処理装置１０の異常を検出した日時、場所（上位装置３０の設置場所）、異常の内容、および異常検出時の磁気カード２に対する処理等に関する情報のことである。
【００２３】
１４は時間を計測するタイマ、１５は前述のローラ６を回転させるモータ、１６はモータ１５の回転数を検出して信号を出力するエンコーダである。制御部９は、エンコーダ１６からの信号に基づいてモータ１５の回転数や回転方向を制御するモータ用制御回路を備えていて、この制御回路によってモータ１５を正転駆動または逆転駆動し、前述のローラ６を回転させて磁気カード２を本体内部１ａの所定の位置Ｐ１〜Ｐ３に所定速度で搬送する。なお、モータ１５が駆動を停止している際に、本体内部１ａにある磁気カード２が人手によって引っ張られる等して移動する異常発生時には、磁気カード２の移動にともなってローラ６およびモータ１５が回転するため、エンコーダ１６が磁気カード２の移動を検知してモータ１５の回転数、すなわちこのときの磁気カード２の移動速度を検出して信号を出力する。
【００２４】
１７は前述のシャッタ４（図１）を開閉させるソレノイド、５はシャッタ４の開閉を検知するシャッタセンサであって、前述したように磁石５ａ（図１）とホール素子５ｂ（図１）とから構成される。制御部９は、ソレノイド１７の駆動を制御するソレノイド用制御回路を備えていて、この制御回路によってソレノイド１７を駆動し、シャッタ４を開いたり閉じたりする。シャッタ４が開いているときと閉じているときとでは、前述したようにシャッタセンサ５のホール素子５ｂが出力する電圧値が異なるので、制御部９は、そのホール素子５ｂが出力する電圧値によって、シャッタ４が閉じているか開いているかを判断する。
【００２５】
７は前述の第１磁気ヘッド、８は前述の第２磁気ヘッドである。制御部９は、各磁気ヘッド７、８をそれぞれ制御する磁気ヘッド用制御回路を備えていて、磁気カード２から情報を読み取る際に、第１磁気ヘッド７または第２磁気ヘッド８が検知した磁気カード２の磁力の変化を、上記制御回路によって変換して情報を生成する。なお、制御部９は、第１磁気ヘッド７により磁気カード２から読み取った情報を上位装置３０に送信し、第２磁気ヘッド８により磁気カード２から読み取った情報に基づいて磁気カード２が挿入口３に挿入されたことを判断する。また、制御部９は、第２磁気ヘッド８により磁気カード２に異常情報を書き込む際に、上記制御回路によって第２磁気ヘッド８に流す電流を書き込む情報に基づいて制御する。
【００２６】
１１〜１３は前述のセンサである。制御部９は、各センサ１１〜１３の状態を検出する検出回路を備えていて、この検出回路によって各センサ１１〜１３のＯＮ状態またはＯＦＦ状態を検出することにより、本体内部１ａにおける磁気カード２の位置を判断する。なお、前述したモータ１５が駆動を停止している際に、本体内部１ａの磁気カード２が移動する異常発生時には、センサ１１〜１３が磁気カード２の移動を検知してセンサ出力が変化することがある。ＳＷは前述のスイッチである。制御部９は、このスイッチＳＷの状態も上記検出回路によって検出し、後述するように挿入口３に返却した磁気カード２が挿入口３から抜き取られたことを判断する。１８は上位装置３０と相互に通信を行うための通信部である。制御部９は、この通信部１８によって磁気カード２から読み取った情報を上位装置３０に送信する。
【００２７】
以上の構成において、制御部９は、本発明における異常検出手段と、異常書込制御手段と、搬送制御手段と、開閉制御手段の一実施形態をそれぞれ構成する。モータ１５は前述のローラ６とともに、本発明における搬送手段の一実施形態を構成する。エンコーダ１６と第１〜第３センサ１１〜１３は、本発明における移動検知手段の一実施形態をそれぞれ構成する。また、エンコーダ１６は、本発明における速度検出手段の一実施形態を構成する。
【００２８】
図６〜図１３は、上記制御部９（詳しくは、制御部９に備わるＣＰＵ）が実行する処理を示すフローチャートである。図６は、磁気カード処理装置１０の基本的な動作手順を示し、図７〜図１２は、磁気カード処理装置１０で発生する異常を検出するための異常検出処理の手順をそれぞれ示し、図１３は、磁気カード２に異常情報を書き込むための異常情報書込処理の手順を示している。なお、制御部９は、図６の処理を実行中にこれとは独立して、図７〜図１２の各処理をそれぞれ実行し、図７〜図１２のいずれかの処理で異常を検出すると、図６の処理を中止して、図１３の処理を実行する。
【００２９】
最初に、図６に示す磁気カード処理装置１０の基本的な動作手順を説明する。なお、説明にあたり、磁気カード処理装置１０の基本的な動作状態を示す図４および図５を適宜参照する。図４（ａ）に示すように、利用者によって磁気カード２が挿入口３からＦ方向に挿入されると、第２磁気ヘッド８が磁気カード２の磁力の変化を検出して出力するので、制御部９は、第２磁気ヘッド８が磁気カード２の挿入口３への挿入を検知したと判断し（図６のステップＳ１：ＹＥＳ）、ソレノイド１７を駆動してシャッタ４を開く（ステップＳ２）。シャッタ４を開くと、制御部９は、挿入された磁気カード２を本体内部１ａに取り込むとともに、磁気カード２から情報を読み取るために、モータ１５の正転駆動を開始して（ステップＳ３）、磁気カード２をＦ方向に搬送して行く。
【００３０】
そして、搬送される磁気カード２の先端部２ａが、図４（ｂ）に示すようにＰ２位置に到達すると、第２センサ１２がこれを検知してＯＮ状態となるので（図６のステップＳ４：ＹＥＳ）、制御部９は、磁気カード２のＰ２位置への搬送が完了したと判断して、第１磁気ヘッド７による磁気カード２からの情報の読み取りを開始する（ステップＳ５）。なお、磁気カード２から読み取った情報は、制御部９のＲＡＭに随時記憶される。読み取りを開始した直後に、磁気カード２の後端部２ｂが、図４（ｃ）に示すようにＰ１位置を通り過ぎ、第１センサ１１が磁気カード２を検知しなくなってＯＮ状態からＯＦＦ状態に切り替わるので（図６のステップＳ６：ＹＥＳ）、制御部９は、磁気カード２が本体内部１ａに完全に入ったと判断して、ソレノイド１７を駆動してシャッタ４を閉じる（ステップＳ７）。シャッタ４を閉じた後、磁気カード２の先端部２ａが、図４（ｄ）に示すようにＰ３位置に到達すると、第３センサ１３がこれを検知してＯＮ状態となるので（図６のステップＳ８：ＹＥＳ）、制御部９は、磁気カード２のＰ３位置への搬送が完了したと判断して、第１磁気ヘッド７による磁気カード２からの情報の読み取りを停止する（ステップＳ９）。続いて、制御部９は、モータ１５の駆動を停止して（ステップＳ１０）、磁気カード２の搬送を停止する。
【００３１】
モータ１５の駆動を停止すると、制御部９は、通信部１８によって上位装置３０との通信を開始し、第１磁気ヘッド７により磁気カード２から読み取った情報をＲＡＭから読み出して上位装置３０に送信する（ステップＳ１１）。そして、送信した情報に基づく処理が上位装置３０で行われて、その処理の終了を知らせる通知を上位装置３０から受信すると、制御部９は、通信部１８による上位装置３０との通信を完了する（ステップＳ１２）。この後、制御部９は、図４（ｄ）に示すＰ３位置にある磁気カード２を挿入口３から排出して利用者に返却するために、ソレノイド１７を駆動して、図５（ｅ）に示すようにシャッタ４を開く（図６のステップＳ１３）。シャッタ４を開くと、制御部９は、モータ１５の逆転駆動を開始して（図６のステップＳ１４）、磁気カード２を、図５（ｆ）に示すようにＢ方向に搬送して行く。
【００３２】
そして、搬送される磁気カード２の先端部２ａが、図５（ｇ）に示すようにＰ１位置を通り過ぎると、第１センサ１１が磁気カード２を検知しなくなってＯＮ状態からＯＦＦ状態に切り替わるので（図６のステップＳ１５：ＹＥＳ）、制御部９は、磁気カード２のＰ１位置への搬送が完了したと判断し、所定時間経過後にモータ１５の駆動を停止して（ステップＳ１６）、磁気カード２の搬送を停止する。このとき、磁気カード２は、所定時間経過後にモータ１５の駆動を停止したことにより、後端部２ｂが挿入口３から突出するとともに、先端部２ａが例えば図５（ｇ）の最もＢ方向側にあるローラ６と接しなくなる位置に停止した状態となる。また、挿入口３に設けたスイッチＳＷ（図２）は、磁気カード２を検知してＯＮ状態となる。この後、利用者によって磁気カード２が、図５（ｈ）に示すように挿入口３から抜き取られると、スイッチＳＷがＯＦＦ状態になるので（ステップＳ１７：ＹＥＳ）、制御部９は、ソレノイド１７を駆動してシャッタ４を閉じ（ステップＳ１８）、処理を終了する。
【００３３】
次に、上述した図６の処理の実行中に、それぞれ実行される図７〜図１２の異常検出処理を順番に説明する。図７の異常検出処理は、磁気カード２を本体内部１ａに取り込んで情報を読み取る際や、磁気カード２を挿入口３から排出して返却する際の、磁気カード２のＦ方向またはＢ方向への搬送時に実行される。図６のステップＳ３またはステップＳ１４で、磁気カード２を搬送するためにモータ１５の駆動を開始すると（図７のステップＳ２１）、制御部９は、タイマ１４（図３）を起動して（ステップＳ２２）、時間の計測を開始する。そして、制御部９は、第１〜第３センサ１１〜１３のＯＮまたはＯＦＦ状態を検出して、磁気カード２の搬送が完了したか否かを判定する（ステップＳ２３）。具体的には、磁気カード２の取り込みの際は、第３センサ１３の状態に基づいて磁気カード２がＰ３位置に搬送されたか否かを判定し、このとき、第３センサ１３がＯＮ状態であれば、Ｐ３位置に搬送されたと判断し、第３センサ１３がＯＦＦ状態であれば、Ｐ３位置に搬送されていないと判断する。また、磁気カード２の返却の際は、第１センサ１１の状態に基づいて磁気カード２がＰ１位置を通り過ぎたか否かを判定し、このとき、第１センサ１１がＯＮ状態からＯＦＦ状態に切り替わっていれば、Ｐ１位置を通り過ぎたと判断し、第１センサ１１がＯＮ状態からＯＦＦ状態に切り替わっていなければ、Ｐ１位置を通り過ぎていないと判断する。
【００３４】
上記のようにしてステップＳ２３で判定を行った結果、磁気カード２の搬送が完了していなければ（ステップＳ２３：ＮＯ）、制御部９は、タイマ１４を参照して所定時間が経過したか否かを判定する（ステップＳ２４）。ここで、所定時間が経過していなければ（ステップＳ２４：ＮＯ）、制御部９は、再び磁気カード２の搬送が完了したか否かを判定する（ステップＳ２３）。そして、ステップＳ２３で、磁気カード２の搬送が完了すると（ステップＳ２３：ＹＥＳ）、制御部９は、タイマ１４を停止して（ステップＳ２６）、処理を終了する。一方、モータ１５やローラ６が壊されたり、磁気カード２の搬送を妨害するような細工が施される等の原因により、ステップＳ２３で、磁気カード２の搬送が完了しないまま（ステップＳ２３：ＮＯ）、ステップＳ２４で所定時間が経過すると（ステップＳ２４：ＹＥＳ）、制御部９は、モータ１５を駆動するように制御しているにもかかわらず所定時間内に磁気カード２の搬送が完了しなかったという異常を検出する（ステップＳ２５）。そして、制御部９は、タイマ１４を停止して（ステップＳ２６）、処理を終了する。
【００３５】
図８の異常検出処理も、図７の処理のように、磁気カード２のＦ方向またはＢ方向への搬送時に実行される。図６のステップＳ３またはステップＳ１４で、磁気カード２を搬送するためにモータ１５の駆動を開始すると（図８のステップＳ３１）、制御部９は、エンコーダ１６から信号の出力があるか否かを判定する（ステップＳ３２）。このとき、エンコーダ１６から信号の出力があれば（ステップＳ３２：ＹＥＳ）、図７のステップＳ２３で説明したのと同様にして、第１〜第３センサ１１〜１３のＯＮ／ＯＦＦ状態を検出し、磁気カード２の搬送が完了したか否かを判定する（ステップＳ３３）。ここで、磁気カード２の搬送が完了していなければ（ステップＳ３３：ＮＯ）、制御部９は、再びエンコーダ１６から信号の出力があるか否かを判定する（ステップＳ３２）。そして、ステップＳ３２で、エンコーダ１６から信号の出力があって（ステップＳ３２：ＹＥＳ）、ステップＳ３３で、磁気カード２の搬送が完了すると（ステップＳ３３：ＹＥＳ）、制御部９は処理を終了する。一方、モータ１５が壊れて回転しない等の原因により、ステップＳ３２で、エンコーダ１６から信号の出力がなければ（ステップＳ３２：ＮＯ）、制御部９は、モータ１５を駆動するように制御しているにもかかわらずエンコーダ１６から信号の出力がなかったという異常を検出して（ステップＳ３４）、処理を終了する。
【００３６】
図９の異常検出処理は、磁気カード２を取り込んだり返却したりする際の、磁気カード２が本体内部１ａにある状態でのシャッタ４の開閉動作時に実行される。図６のステップＳ７で、磁気カード２の本体内部１ａからの取り出しを規制するためにシャッタ４を閉じるようにソレノイド１７の駆動制御を開始する、または図６のステップＳ１３で、磁気カード２を挿入口３から返却するためにシャッタ４を開くようにソレノイド１７の駆動制御を開始すると（図９のステップＳ４１）、制御部９は、所定時間経過後にシャッタセンサ５の出力電圧値に基づいて、制御どおりにシャッタセンサ５がシャッタ４の閉まりまたは開きを検知したか否かを判定する（ステップＳ４２）。ここで、制御どおりにシャッタセンサ５がシャッタ４の閉まりまたは開きを検知していれば（ステップＳ４２：ＹＥＳ）、制御部９は、シャッタ４が正常に動作したと判断して、処理を終了する。一方、シャッタの開閉動作を妨害するような細工が施される等の原因により、ステップＳ４２で、制御どおりにシャッタセンサ５がシャッタ４の閉まりまたは開きを検知していなければ（ステップＳ４２：ＮＯ）、制御部９は、シャッタ４を閉じるように制御しているにもかかわらずシャッタ４が正常に閉じなかったという異常、またはシャッタ４を開くように制御しているにもかかわらずシャッタ４が正常に開かなかったという異常を検出して（ステップＳ４３）、処理を終了する。
【００３７】
図１０の異常検出処理は、磁気カード２を本体内部１ａに取り込んでシャッタ４を閉じてから、磁気カード２を排出するためにシャッタ４を開くまでのシャッタ４の閉状態維持時に実行される。図６のステップＳ７でシャッタ４を閉じるように制御した後、シャッタセンサ５によってシャッタ４の閉まりを検知すると、制御部９は、シャッタ４の閉状態を維持するようにソレノイド１７の駆動を制御する（図１０のステップＳ５１）。そしてその状態で、制御部９は、シャッタセンサ５の出力電圧値に基づいてシャッタセンサ５がシャッタ４の開きを検知したか否かを判定する（ステップＳ５２）。ここで、シャッタセンサ５がシャッタ４の開きを検知していなければ（ステップＳ５２：ＮＯ）、制御部９は、このときがシャッタ４を開くようにソレノイド１７の駆動制御を開始するタイミングか否か、つまり図６のステップＳ１３で磁気カード２を返却するためにシャッタ４を開くタイミングか否かを判定する（ステップＳ５３）。このときがシャッタ４を開くタイミングでなければ（ステップＳ５３：ＮＯ）、制御部９は、再びシャッタセンサ５がシャッタ４の開きを検知したか否かを判定する（ステップＳ５２）。そして、ステップＳ５２で、シャッタセンサ５がシャッタ４の開きを検知しないまま（ステップＳ５２：ＮＯ）、ステップＳ５３で、シャッタ４を開くタイミングになると（ステップＳ５３：ＹＥＳ）、制御部９は処理を終了する。一方、シャッタ４が無理やり開けられる等の原因により、ステップＳ５２で、シャッタセンサ５がシャッタ４の開きを検知すると（ステップＳ５２：ＹＥＳ）、制御部９は、シャッタ４の閉状態を維持するように制御しているにもかかわらずシャッタ４が開いたという異常を検出して（ステップＳ５４）、処理を終了する。
【００３８】
図１１の異常検出処理は、磁気カード２を本体内部１ａに取り込んでモータ１５の駆動を停止してから、モータ１５の逆転駆動を開始するまでの磁気カード２の搬送停止時に実行される。図６のステップＳ１０で、モータ１５の駆動を停止すると（図１１のステップＳ６１）、制御部９は、エンコーダ１６から信号の出力があるか否かを判定する（ステップＳ６２）。ここで、エンコーダ１６から信号の出力がなければ（ステップＳ６２：ＮＯ）、制御部９は、このときがモータ１５の駆動を開始するタイミングか否か、つまり図６のステップＳ１４で磁気カード２を返却するためにモータ１５の逆転駆動を開始するタイミングか否かを判定する（ステップＳ６３）。このとき、モータ１５の逆転駆動を開始するタイミングでなければ（ステップＳ６３：ＮＯ）、制御部９は、再びエンコーダ１６から信号の出力があるか否かを判定する（ステップＳ６２）。そして、ステップＳ６２で、エンコーダ１６から信号の出力がないまま（ステップＳ６２：ＮＯ）、ステップＳ６３で、モータ１５の逆転駆動を開始するタイミングになると（ステップＳ６３：ＹＥＳ）、制御部９は処理を終了する。一方、特殊な治具によって磁気カード２が挿入口３の方へ引っ張られたり、磁気カード２が本体内部１ａから引き抜かれる等の原因により、ステップＳ６２で、エンコーダ１６から信号の出力があると（ステップＳ６２：ＹＥＳ）、制御部９は、モータ１５によって磁気カード２を搬送していないにもかかわらず磁気カード２が移動したという異常を検出して（ステップＳ６４）、処理を終了する。
【００３９】
図１２の異常検出処理も、図１１の処理のように磁気カード２の搬送停止時に実行される。図６のステップＳ１０で、モータ１５の駆動を停止すると（図１２のステップＳ７１）、制御部９は、第１〜第３センサ１１〜１３のいずれかからＯＮとＯＦＦの切り替わり信号の出力があるか否かを判定する（ステップＳ７２）。ここで、第１〜第３センサ１１〜１３のいずれからも切り替わり信号の出力がなければ（ステップＳ７２：ＮＯ）、制御部９は、このときがモータ１５の駆動を開始するタイミングか否か、つまり図６のステップＳ１４で磁気カード２を返却するためにモータ１５の逆転駆動を開始するタイミングか否かを判定する（ステップＳ７３）。このとき、モータ１５の逆転駆動を開始するタイミングでなければ（ステップＳ７３：ＮＯ）、制御部９は、再び第１〜第３センサ１１〜１３のいずれかから切り替わり信号の出力があるか否かを判定する（ステップＳ７２）。そして、ステップＳ７２で、第１〜第３センサ１１〜１３のいずれからも切り替わり信号の出力がないまま（ステップＳ７２：ＮＯ）、ステップＳ７３で、モータ１５の逆転駆動を開始するタイミングになると（ステップＳ７３：ＹＥＳ）、制御部９は処理を終了する。一方、特殊な治具によって磁気カード２が引っ張られたり、本体内部１ａから引き抜かれる等の原因により、ステップＳ７２で、第１〜第３センサ１１〜１３のいずれかから切り替わり信号の出力があると（ステップＳ７２：ＹＥＳ）、制御部９は、モータ１５によって磁気カード２を搬送していないにもかかわらず磁気カード２が移動したという異常を検出して（ステップＳ７４）、処理を終了する。なお、搬送停止時に磁気カード２が移動したという異常は、図１２の処理よりも先に図１１の処理の方で検出されるが、エンコーダ１６が壊れていて信号を出力不可能な状態にある場合には、図１１の処理では検出されずに図１２の処理で検出される。
【００４０】
上述した図７〜図１２の処理のいずれかにおいて異常を検出すると、制御部９は、図６の処理を中止して、図１３の異常情報書込処理を開始する。なお、図６の処理を中止する際にモータ１５が駆動中であれば、制御部９は、強制的にモータ１５の駆動を停止する。これにより、図７と図８の処理が中止され、図１１と図１２の処理が開始される。また、図１０の処理については、継続して実行され、図９の処理については、実行中であれば継続して実行される。
【００４１】
図１３において、制御部９は異常を検出すると（ステップＳ８１）、モータ１５によって磁気カード２を搬送可能か否かを判断する（ステップＳ８２）。図９〜図１２の処理のいずれかにおいて異常を検出していれば、制御部９は、モータ１５によって磁気カード２を搬送可能と判断して（ステップＳ８２：ＹＥＳ）、ステップ８３へ移行し、ソレノイド１７を駆動してシャッタ４を開く。なお、図９または図１０の処理で異常を検出した場合は、このとき既に人手によってシャッタ４が開いていることがある。また、シャッタ４を開いたことにより、図９の処理が前述したようにステップＳ４１から開始される。その後、シャッタセンサ５がシャッタ４の開きを検知したことを確認すると、制御部９は、磁気カード２を挿入口３から排出するためにモータ１５の逆転駆動を開始して（ステップＳ８４）、磁気カード２をＢ方向に搬送して行く。続いて、制御部９は、第２磁気ヘッド８による磁気カード２への異常情報の書き込みを開始する（ステップＳ８５）。
【００４２】
このとき書き込む異常情報は、異常を検出した日時、場所、検出した全ての異常の内容、および異常検出時の磁気カード２に対する処理である。なお、異常の内容は、例えば所定時間内のカード搬送エラー、モータ駆動時のエンコーダ無信号状態、シャッタ開閉動作エラー、シャッタ閉状態維持時の開き検知、およびモータ停止時のカードの移動検知等である。また、２つ以上の異常を検出した場合は、検出した全ての異常の内容が異常情報に含まれる。具体的には、例えば図１０の処理で閉状態のシャッタ４が無理やり開かれた後に、図１２の処理で磁気カード２が本体内部１ａから引き抜かれた場合は、シャッタ閉状態維持時の開き検知と、モータ停止時のカードの移動検知とが異常の内容として含まれ、また、図７の処理で磁気カード２が所定の位置Ｐ１〜Ｐ３に搬送されなかった後に、図１１の処理で磁気カード２が本体内部１ａから引き抜かれた場合は、所定時間内のカード搬送エラーと、モータ停止時のカードの移動検知とが異常の内容として含まれる。また、異常検出時の磁気カード２に対する処理は、例えば、取り込み、情報読み取り、搬送停止、および返却等である。
【００４３】
磁気カード２への異常情報の書き込みを開始した後、第１センサ１１がＯＮ状態からＯＦＦ状態に切り替わると（ステップＳ８６：ＹＥＳ）、制御部９は、第２磁気ヘッド８による磁気カード２への異常情報の書き込みを停止する（ステップＳ８７）。そして、制御部９は、所定時間経過後にモータ１５の駆動を停止して（ステップＳ８８）、磁気カード２の搬送を停止し、続けて、磁気カード２が挿入口３から抜き取られているか否かにかかわらず、所定時間経過後にソレノイド１７を駆動してシャッタ４を閉じ（ステップＳ８９）、処理を終了する。
【００４４】
一方、図７または図８の処理において異常を検出していれば、制御部９は、ステップＳ８２で、モータ１５によって磁気カード２を搬送不可能と判断して（ステップＳ８２：ＮＯ）、ステップ９０へ移行し、ソレノイド１７を駆動してシャッタ４を開く。なお、図７または図８の処理において異常を検出した後に図９または図１０の処理で異常を検出した場合は、このとき既に人手によってシャッタ４が開いていることがある。この後、磁気カード２の排出のために、本体内部１ａの磁気カード２が人手によってＢ方向に引っ張られると、エンコーダ１６からの出力信号によって磁気カード２の移動速度が検出されるので（ステップＳ９１）、制御部９は、その移動速度に応じた周期で第２磁気ヘッド８に流す電流を制御し、第２磁気ヘッド８による磁気カード２への異常情報の繰り返し書き込みを開始する（ステップＳ９２）。具体的には、磁気カード２が人手によって速く引っ張られたときは、磁気カード２の移動速度に応じた速い周期で第２磁気ヘッド８によって磁気カード２に異常情報を書き込み、磁気カード２が人手によって遅く（ゆっくりと）引っ張られたときは、磁気カード２の移動速度に応じた遅い周期で第２磁気ヘッド８によって磁気カード２に異常情報を書き込む。また、このとき書き込む異常情報は、情報量の多さよりも書き込みの正確さや精度を考慮して、異常の発生した磁気カード２であることがわかる日時と場所だけになり、第２磁気ヘッド８によって磁気カード２の磁気ストライプに何度も繰り返し書き込まれる。
【００４５】
磁気カード２への異常情報の書き込みを開始した後、第１センサ１１がＯＮ状態からＯＦＦ状態に切り替わると（ステップＳ９３：ＹＥＳ）、制御部９は、第２磁気ヘッド８による磁気カード２への異常情報の繰り返し書き込みを停止する（ステップＳ９４）。そして、制御部９は、磁気カード２が挿入口３から抜き取られているか否かにかかわらず、所定時間経過後にソレノイド１７を駆動してシャッタ４を閉じ（ステップＳ９５）、処理を終了する。
【００４６】
以上のように、挿入口３に第２磁気ヘッド８を設け、磁気カード２が挿入口３から排出されるときに第２磁気ヘッド８で磁気カード２に異常情報を書き込むと、磁気カード２が挿入口３から完全に排出されるまで、つまり磁気カード２が磁気カード処理装置１０から抜き取られるまで磁気カード２と第２磁気ヘッド８との接触状態が確保されるので、装置１０で異常が発生した場合にその異常情報を磁気カード２に確実に書き込むことができる。この結果、後にその磁気カード２が使用されても、当該カード２の異常情報を読み取ることによって、それが不正に入手されたカードであるか否かの判断を行うことが可能になる。またさらに、不正に入手された磁気カード２に対して、例えば強制的に使用を禁止したり、使用履歴を残して所定の部署に通報するというような適切な対処を行うことが可能となる。
【００４７】
また、図７および図８の異常検出処理を実行することで、例えばモータ１５やローラ６が壊されたり、磁気カード２の搬送を妨害するような細工が施されたりすることにより、磁気カード２の搬送時に磁気カード２が所定の位置Ｐ１〜Ｐ３に搬送されないという異常が発生しても、この異常を検出して、第２磁気ヘッド８によって異常情報を磁気カード２に確実に書き込むことができる。また、図９および図１０の異常検出処理を実行することで、例えばシャッタ４の開閉を妨害するような細工が施されることにより、開状態のシャッタ４を閉じる時にシャッタ４が閉じないという異常が発生したり、閉状態のシャッタ４を開く時にシャッタ４が開かないという異常が発生したり、閉状態を維持している時にシャッタ４が無理やり開けられるという異常が発生したりしても、これらの異常を検出して、第２磁気ヘッド８によって異常情報を磁気カード２に確実に書き込むことができる。さらに、図１１および図１２の異常検出処理を実行することで、例えば特殊な治具によって磁気カード２が引っ張られたり、本体内部１ａから引き抜かれたりすることにより、磁気カード２の搬送停止時に磁気カード２が移動するという異常が発生しても、この異常を検出して、第２磁気ヘッド８によって異常情報を磁気カード２に確実に書き込むことができる。
【００４８】
また、図７〜図１２の処理のいずれかで異常を検出した後に、さらに図９〜図１２の処理を実行して異常を検出し、検出した全ての異常の内容を異常情報に含めて第２磁気ヘッド８によって磁気カード２に書き込むことで、異常情報が書き込まれた磁気カード２が後に使用されたときに、当該カード２の異常情報を読み取ることによって、それがどのようにして不正に入手されたかということを詳細に判断することが可能になる。
【００４９】
また、磁気カード２がモータ１５によって搬送されて挿入口３から排出される場合は、磁気カード２の移動速度が所定速度になり、第２磁気ヘッド８によって安定して磁気カード２に異常情報を書き込めるが、磁気カード２が人手によって引っ張られて挿入口３から排出される場合は、磁気カード２の移動速度が所定速度にならず、第２磁気ヘッド８によって安定して磁気カード２に異常情報を書き込めないおそれがある。然るに、上述したように、エンコーダ１６で検出した磁気カード２の移動速度に応じた周期で、第２磁気ヘッド８によって磁気カード２に異常情報を書き込むことで、磁気カード２が人手によって速く引っ張られたときは、磁気カード２の移動速度に応じた速い周期で、また磁気カード２が人手によって遅く（ゆっくりと）引っ張られたときは、磁気カード２の移動速度に応じた遅い周期で第２磁気ヘッド８によって安定して磁気カード２に異常情報を確実に書き込むことができる。さらに、書き込む異常情報を異常の発生した磁気カード２であることがわかる程度に少なくし、第２磁気ヘッド８によって磁気カード２に繰り返し書き込むことで、磁気カード２に異常情報を一層確実かつ正確に書き込むことができる。
【００５０】
以上述べた実施形態においては、図７〜図１２の異常検出処理を全て実行する例を挙げているが、本発明はこれのみに限定するものではなく、図７〜図１２の異常検出処理のいずれか１つを実行するようにしたり、２つ以上を組み合わせて実行するようにしてもよい。
【００５１】
また、上記実施形態では、磁気カード２が人手によって挿入口３から排出される場合に、磁気カード２に異常情報を繰り返し書き込んだ例を挙げているが、本発明はこれのみに限定するものではなく、磁気カード２がモータ１５によって挿入口３から排出される場合にも、磁気カード２に異常情報を繰り返し書き込むようにしてもよい。
【００５２】
また、上記実施形態では、磁気カード２が人手によって排出される場合に磁気カード２に書き込む異常情報を、日時と場所にした例を挙げているが、本発明はこれのみに限定するものではなく、例えば日時と場所に異常の内容を加えたり、日時と場所は省いて異常の内容だけにしてもよい。
【００５３】
また、上記実施形態では、本発明における開閉検知手段として、磁石５ａとホール素子５ｂとから構成されるシャッタセンサ５を用いた例を挙げているが、本発明はこれのみに限定するものではなく、シャッタセンサとして、例えばフォトセンサやマイクロスイッチのようなものを用いてもよい。つまり、本発明の開閉検知手段は、シャッタ４の開きと閉まりを確実に検知できる手段であればよい。
【００５４】
さらに、上記実施形態では、磁気カード２の挿入口３への挿入を検知する手段として、第２磁気ヘッド８を用いた例を挙げているが、本発明はこれのみに限定するものではなく、カード挿入検知手段として、図２に示すマイクロスイッチＳＷや、磁気カード２の幅を検知するようなセンサを用いてもよい。
【００５５】
【発明の効果】
本発明によれば、挿入口に第２の磁気ヘッドを設け、磁気カードが挿入口から排出されるときに第２の磁気ヘッドによって磁気カードに異常情報を書き込むことで、磁気カードが装置から抜き取られるまで磁気カードと第２の磁気ヘッドとの接触状態が確保されるので、装置で異常が発生した場合にその異常情報を磁気カードに確実に書き込むことができ、この結果、後にその磁気カードが使用されても、当該カードの異常情報を読み取ることで、それが不正に入手されたカードであるか否かの判断が可能になる。
【図面の簡単な説明】
【図１】磁気カード処理装置の概略構造を示す図である。
【図２】同装置の挿入口を正面から見た図である。
【図３】同装置の電気的構成を示すブロック図である。
【図４】同装置の基本的な動作状態を示す図である。
【図５】同装置の基本的な動作状態を示す図である。
【図６】同装置の基本的な動作手順を示すフローチャートである。
【図７】異常検出処理の手順を示すフローチャートである。
【図８】異常検出処理の手順を示すフローチャートである。
【図９】異常検出処理の手順を示すフローチャートである。
【図１０】異常検出処理の手順を示すフローチャートである。
【図１１】異常検出処理の手順を示すフローチャートである。
【図１２】異常検出処理の手順を示すフローチャートである。
【図１３】異常情報書込処理の手順を示すフローチャートである。
【符号の説明】
１ａ    本体内部
２      磁気カード
３      挿入口
４      シャッタ
５      シャッタセンサ
６      ローラ
７      第１磁気ヘッド
８      第２磁気ヘッド
９      制御部
１０    磁気カード処理装置
１１    第１センサ
１２    第２センサ
１３    第３センサ
１５    モータ
１６    エンコーダ
【図１】
2005044107.tif 000003
【図２】
2005044107.tif 000004
【図３】
2005044107.tif 000005
【図４】
2005044107.tif 000006
【図５】
2005044107.tif 000007
【図６】
2005044107.tif 000008
【図７】
2005044107.tif 000009
【図８】
2005044107.tif 000010
【図９】
2005044107.tif 000011
【図１０】
2005044107.tif 000012
【図１１】
2005044107.tif 000013
【図１２】
2005044107.tif 000014
【図１３】
2005044107.tif 000015